(57)【要約】      （修正有）【課題】自動車の屋根付近に取付け、降雨時に自動車へ出入りする際の雨濡れを軽減する自動車用雨よけ装置を提供する。【解決手段】自動車雨よけ装置は、収納ケース２内に斜めに角度をつけ、コマ状の軸受を連結したスライダーを設け、雨よけ部３は複数の隣接する骨部材３１と骨部材を重ねた時に骨部材からはみ出ない幅となる様に防水部材３２を設ける。その雨よけ部の収納時に骨部材と収納開閉ケースが取付バー１に当接し引っかかる地点で軸受の上を滑りスムーズに収納し、１８０度まで広げて使用可能であり、自動車用雨よけとして十分な大きさで製作できる。【選択図】図１
0003174288.tif 000002
【実用新案登録請求の範囲】
【請求項１】
両端を斜めに角度を付けた板状のスライダー１１を内側下部に設けた取付バー１に、複数重ねた骨部材３１からなる雨よけ部３と、その雨よけ部３を収納する開閉収納ケース２とを、回転自在に連結する支持軸４を設け、スライダー１１には雨よけ部３の収納時に骨部材３１と開閉収納ケース２が取付バー１に当接し引っかかる地点に、円形のコマからなる軸受１２を複数設け、雨よけ部３は開閉収納ケース２が取付バー１に対し１８０度となる角度まで開いた時、半円形になり収納時に隣接する骨部材３１同士が重なった時、骨部材３１の幅からはみ出ない幅となる防水部材３２を設け、その雨よけ部３の一端を取付バー１に連結し、別の一端を開閉収納ケース２に連結し、収納時に開閉収納ケースが雨よけ部３を収納しながら移動した際、取付バー１に当接し引っ掛る地点で、骨部材３１と開閉収納ケース２の下部が軸受１２の上を滑る事でスムーズに取付バー１に収納される様に設定した、自動車用雨よけ装置である。
【請求項２】
取付バー１にはユニット５３とバッテリー５４が収納されたユニットバッテリーケース５５と駆動部５が設置された駆動部止めステー５１を連結し、収納開閉ケース２には上面２ａと前面２ｂにソーラーパネル２１を設置し、そのソーラーパネル２１からの電気や自動車からの電気をバッテリー５４に蓄電し、バッテリー５４での切替操作により使用する電気を選び駆動部５を作動させる事を特徴とした、請求項１に記載の自動車用雨よけ装置。
【請求項３】
駆動部５には電波受信部５６を設け、リモコン６からの指示を受け開閉収納ケース２を作動させる事を特徴とした、自動車用雨よけ装置。
【考案の詳細な説明】
【技術分野】
【０００１】本考案は自動車の屋根付近に取付け、降雨時に自動車へ出入りする際の雨濡れを軽減する自動車用雨よけ装置に関する。
【背景技術】
【０００２】  降雨時の自動車の乗降において、傘を閉じたり開いたりする際どうしても雨に濡れてしまったり、車内に雨が入りシートや床が濡れ、慌てて乗降する為、足を滑らせる危険が有った。特に老人や身障者の乗降、乳児を抱いての乗降は時間が掛かる。このような降雨時の車の雨よけ装置の一例として、特許文献１の「自動車用雨よけ装置」が公知である。この雨よけ装置は自動車のドアが開いた時に開いたドアの上方に張り出させる雨よけ部と、この雨よけ部の張り出し及び収納を行う駆動部と、駆動部を起動するスイッチとを備えて構成されている。この雨よけ装置の雨よけ部は、鉛直方向に軸支された支軸と、この支軸を中心として扇形に開閉する複数本の骨部材と、この骨部材に取り付けられた扇形の防水シートとを備え、雨よけ部を収容体内に収容し、この雨よけ部を張り出し駆動する駆動部を起動スイッチにより起動させ、ドアの開閉とは独立して雨よけ部を扇形に開閉し骨部材は傘の骨と同様な部材で、略１２０度の範囲の間に約５本程度配置され、上記範囲内に亘って防水シートが取り付けられている。【０００３】  他の例として、特許文献２の「自動車ドア用雨よけ」が公知である。この自動車ドア用雨よけは、複数枚の細長い板を重ね、これらの板の一端を共通の支軸で回転自在に柩支し、これらの板が扇子状に開く様に各板の他端に板の幅方向に円弧上の係合用溝を形成し、隣接する板同士を係止するピンを２枚の板同士間の係合溝を貫通して設けて係止手段とした雨よけ本体と、この雨よけ本体を自動車の屋根又はドアの上縁部に収容する収容と、自動車ドアを開いた時、雨よけ本体が扇子状に広がって張り出される様に上記板の張り出し側端をドアに連結した張出手段とにより形成したというものである。【０００４】  もう一つの例として、特許文献３の「自動車用雨よけ装置」が公知である。この自動車用雨よけ装置は複数の骨部材を重ねて回転自在に取付けた雨よけ部とその雨よけ部を収納する収納部と、雨よけ部の骨部材を回転させて開閉する出力軸を有する駆動部とを備え、雨よけ部は複数の骨部材を半径方向に延びる帯状薄板とし、複数の骨部材の少なくとも上面に防水シートを被せ、かつ開放時に引出側となる骨部材は出力軸に固定し、雨よけ部の外周円上で隣接する骨部材と骨部材間の防水シートの幅が収納時に骨部材の幅から垂れ下がるほどはみ出ない幅となる様に設定したというものである。
【先行技術文献】
【特許文献】
【０００４】
【特許文献１】  特開２００１−４７８６３号  公報
【特許文献２】  特開平９−３１５１５９号  公報
【特許文献３】  特開２００８−７４３７７号  公報
【考案の概要】
【考案が解決しようとする課題】
【０００５】  しかし、上記特許文献１の雨よけ装置では、骨部材には通常の雨傘と同等の細い金属材の骨が用いられ、この骨部材に防水シートが略１２０度の扇形の範囲に広がる様に取付けられ、骨部材は支軸中心に回転自在に、かつ片持ち状態に支持されている為、骨部材と防水シートの外周に大きな重力が作用し、この骨部材では防水シートの重力を支持できず、防水シート外周側の垂れ下がりを実用的に許容する事が出来る範囲内で防止する事は実際には困難で、雨よけ部を収容体内に収容する事も困難で実用化出来ないという問題もある。【０００６】  特許文献２の「自動車ドアー用雨よけ」は、複数の細長い板を重ね、これらの板の一端を共通の支軸で柩支し、他端が扇子状に開く様に隣接する板同士で係止手段を設けた物からなる雨よけ本体を収容部となすケースに収容して、自動車の屋根部に取付けというもので、防水シートを使用せず細長い板を少しずつずらして扇子状に広げて雨よけとする為、広げる範囲を大きくしようとすると、複数の細長い板の重なりが多くなりすぎて、収容部の厚みがかなり厚くなり実用的ではない。【０００７】  特許文献３の「自動車用雨よけ装置」では、雨よけ部の収納時に、雨よけ部の若干の垂れ下りにより、収納部の外縁に引掛り収納する事できないという問題があり、自動車用雨よけとして有効な大きさで製作する事は困難である。
【課題を解決するための手段】
【０００８】  両端を斜めに角度を付けた板状のスライダー１１を内側下部に設けた取付バー１に、複数重ねた骨部材３１からなる雨よけ部３と、その雨よけ部３を収納する開閉収納ケース２とを、回転自在に連結する支持軸４を設け、スライダー１１には雨よけ部３の収納時に骨部材３１と開閉収納ケース２が取付バー１に当接し引っかかる地点に、円形のコマからなる軸受１２を複数設け、雨よけ部３は開閉収納ケース２が取付バー１に対し１８０度となる角度まで開いた時、半円形になり収納時に隣接する骨部材３１同士が重なった時、骨部材３１の幅からはみ出ない幅となる防水部材３２を設け、その雨よけ部３の一端を取付バー１に連結し、別の一端を開閉収納ケース２に連結し、収納時に開閉収納ケースが雨よけ部３を収納しながら移動した際、取付バー１に当接し引っ掛る地点で、骨部材３１と開閉収納ケース２の下部が軸受１２の上を滑る事でスムーズに取付バー１に収納される様に設定した、自動車用雨よけ装置である。【０００９】  取付バー１にはユニット５３とバッテリー５４が収納されたユニットバッテリーケース５５と駆動部５が設置された駆動部止めステー５１を連結し、収納開閉ケース２には上面２ａと前面２ｂにソーラーパネル２１を設置し、そのソーラーパネル２１からの電気や自動車からの電気をバッテリー５４に蓄電し、バッテリー５４での切替操作により使用する電気を選び駆動部５を作動させる。【００１０】  駆動部５には電波受信部５６を設け、リモコン６からの指示を受け開閉収納ケース２を作動させる。
【考案の効果】
【００１１】  この考案の自動車雨よけ装置は、収納ケース内に斜めに角度をつけ、コマ状の軸受を連結したスライダーを設け、雨よけ部は複数の隣接する骨部材と骨部材を重ねた時に骨部材からはみ出ない幅となる様に防水部材を設け、その雨よけ部の収納時に骨部材と収納開閉ケースが取付バーに当接し引っかかる地点で軸受の上を滑りスムーズに収納し、１８０度まで広げて使用可能であり、自動車用雨よけとして十分な大きさで製作できるという優れた利点を有する。
【図面の簡単な説明】
【００１２】
【図１】本考案の自動車用雨よけ装置の構成（斜視図）
【図２】本考案の自動車用雨よけ装置の構成（正面図）
【図３】本考案の自動車用雨よけ装置のスライダーの構成  （ａ）骨部材の収納前  （ｂ）骨部材の収納途中  （ｃ）骨部材の収納図
【図４】本考案の自動車用雨よけ装置の回路図
【図５】本考案の自動車用雨よけ装置の自動車への取付図（使用例１）  （ａ）収納開始  （ｂ）開閉途中  （ｃ）収納図
【図６】本考案の自動車用雨よけ装置自動車への取付図（使用例２）  （ａ）収納時  （ｂ）開いた図
【考案を実施するための形態】
【００１３】以下、本考案の自動車用雨よけ装置の構成に沿って説明する。
図１は、本考案の自動車用雨よけ装置の構成（斜視図）を示す。
開閉収納ケース２と取付バー１に連結した雨よけ部３は骨部材３１と防水部材３２からなり、防水部材は隣接する骨部材３１同士を重ねた時、骨部材３１の幅からはみでない幅となる様、設定している。
【００１４】図２は、本考案の自動車用雨よけ装置の構成（正面図）を示す。
複数の骨部材３１の間にそれぞれワッシャー４１を挟み、支持軸４に連結する事で雨よけ部３の収納時に防水部材３２の厚み分の隙間が確保でき雨よけ部３の開閉収納がスムーズに行える。
【００１５】    取付バー１の内側下部に斜めに角度をつけコマ状の軸受けを連結し、軸受１２の下部が当接する部分の取付バー１は軸受けの転がりを妨げない幅に切り抜き、軸受の転がりが軽減しない様に設定し、雨よけ部３の収納時に骨部材３１と開閉収納ケース２がその軸受１２に当接し滑り、スムーズに取付バー１内に収まる。
【００１６】  図３は、本考案の自動車用雨よけ装置のスライダーの構成を示す。
（ａ）の様に骨部材３１とが開閉収納ケースが取付バーに収納される際、軸受１２に当接し、（ｂ）の様に軸受１２の上を滑り（ｃ）の様に取付バー１内にスムーズに収まる。
【００１７】  図４は、本考案の自動車用雨よけ装置の回路図を示す。
ソーラーパネル２１や自動車からの電源供給５７をバッテリー５４に蓄電し、リモコン６からの電波を電波受信部５６が受信した時、バッテリー５４に蓄電した電気をユニット５３が制御し、駆動部５を作動させ雨よけ部３を開閉させる。
【００１８】  図５は本考案の自動車用雨除け装置の自動車への取付け図（取付例１）を示す。
（ａ）の様に取付け部材７を用いて自動車のレインモール９に着脱可能に取付け、リモコン６からの電波により駆動部５が開閉収納ケースを作動し、雨よけ部３が（ｂ）の様に開き始め、（ｃ）の様に１８０°開く。収納時もリモコン６により、収納する。
【００１９】  図６は本考案の自動車用雨よけ装置の自動車への取付け図（取付例２）を示す。
（ａ）の様に自動車車体の自動車ドア上面付近に雨よけ装置８を埋め込み、（ｂ）の様に開閉する事が可能。
【産業上の利用可能性】
【００２０】本考案の自動車用雨よけ装置は、収納ケースを設置し得る形状の自動車であって、降雨時の雨よけ、日照時の日除けを必要とする車両に広く利用される。
【符号の説明】
【００２１】１    取付バー
１１  スライダー
１２  軸受
２    開閉収納ケース
２ａ  上面
２ｂ  前面
２１  ソーラーパネル
３    雨よけ部
３１  骨部材
３２  防水部材
３３  外周縁
４    支持軸
４１  ワッシャー
５    駆動部
５１  駆動部止めステー
５３  ユニット
５４  バッテリー
５５  ユニットバッテリーケース
５６  電波受信部
５７  電源供給
６    リモコン
７    取付部材
８    雨よけ装置
９    レインモール
【図１】
0003174288.tif 000003
【図２】
0003174288.tif 000004
【図３】
0003174288.tif 000005
【図４】
0003174288.tif 000006
【図５】
0003174288.tif 000007
【図６】
0003174288.tif 000008
【手続補正書】
【提出日】平成23年12月13日(2011.12.13)
【手続補正１】
【補正対象書類名】実用新案登録請求の範囲
【補正対象項目名】全文
【補正方法】変更
【補正の内容】
【実用新案登録請求の範囲】
【請求項１】
両端を斜めに角度を付けた板状のスライダー１１を内側下部に設けた取付バー１に、複数重ねた骨部材３１からなる雨よけ部３と、その雨よけ部３を収納する開閉収納ケース２とを、回転自在に連結する支持軸４を設け、スライダー１１には雨よけ部３の収納時に骨部材３１と開閉収納ケース２が取付バー１に当接し引っかかる地点に、円形のコマからなる軸受１２を複数設け、雨よけ部３は開閉収納ケース２が取付バー１に対し１８０度となる角度まで開いた時、半円形になり収納時に隣接する骨部材３１同士が重なった時、骨部材３１の幅からはみ出ない幅となる防水部材３２を設け、その雨よけ部３の一端を取付バー１に連結し、別の一端を開閉収納ケース２に連結し、収納時に開閉収納ケースが雨よけ部３を収納しながら移動した際、取付バー１に当接し引っ掛る地点で、骨部材３１と開閉収納ケース２の下部が軸受１２の上を滑る事でスムーズに取付バー１に収納される様に設定した、自動車用雨よけ装置。
【請求項２】
取付バー１にはユニット５３とバッテリー５４が収納されたユニットバッテリーケース５５と駆動部５が設置された駆動部止めステー５１を連結し、収納開閉ケース２には上面２ａと前面２ｂにソーラーパネル２１を設置し、そのソーラーパネル２１からの電気や自動車からの電気をバッテリー５４に蓄電し、バッテリー５４での切替操作により使用する電気を選び駆動部５を作動させる事を特徴とした、請求項１に記載の自動車用雨よけ装置。
【請求項３】
駆動部５には電波受信部５６を設け、リモコン６からの指示を受け開閉収納ケース２を作動させる事を特徴とした、請求項２記載の自動車用雨よけ装置。